(57)【要約】【課題】ピックアップローラを下降させて記録用紙束に当接させた場合における、記録用紙束へ作用する衝撃力を緩和ことによって、記録用紙束における記録用紙の位置ズレの発生を抑止する。【解決手段】記録用紙束の最上部から一枚の記録用紙をピックアップする給紙装置であって、回転駆動されることにより上記記録用紙をピックアップするピックアップローラ１０２と、該ピックアップローラ１０２を回転可能に支持するハウジング１０１と、該ハウジング１０１を下方から支持する傾斜面１０９を備え、該傾斜面１０９を上記ハウジング１０１に対して向かう方向あるいは離れる方向に水平移動させることによって上記ハウジング１０１を上記傾斜面１０９に対して摺動させながら上下動させる上下移動手段１０４，１０５とを備える。【選択図】図３
2009083959.tif 000002
【特許請求の範囲】
【請求項１】
記録用紙束の最上部から一枚の記録用紙をピックアップする給紙装置であって、
回転駆動されることにより前記記録用紙をピックアップするピックアップローラと、
該ピックアップローラを回転可能に支持するハウジングと、
該ハウジングを下方から支持する傾斜面を備え、該傾斜面を前記ハウジングに対して向かう方向あるいは離れる方向に水平移動させることによって前記ハウジングを前記傾斜面に対して摺動させながら上下動させる上下移動手段と
を備えることを特徴とする給紙装置。
【請求項２】
前記上下移動手段は、
前記傾斜面を有する支持部材と、
該支持部材を水平移動させるソレノイドと
を備えることを特徴とする請求項１記載の給紙装置。
【請求項３】
前記ハウジングは、前記傾斜面と面接触する摺動面を備えることを特徴とする請求項１または２記載の給紙装置。
【請求項４】
前記支持部材は、前記ハウジングを下方から支持する水平面を有することを特徴とする請求項２記載の給紙装置。
【請求項５】
前記上下移動手段を複数備えることを特徴とする請求項１〜４いずれかに記載の給紙装置。
【請求項６】
記録用紙束の最上部から一枚の記録用紙をピックアップする給紙装置を備え、該給紙装置によってピックアップした前記記録用紙に対して画像を形成する画像形成装置であって、
前記給紙装置として、請求項１〜５いずれかに記載の給紙装置を備えることを特徴とする画像形成装置。
【発明の詳細な説明】
【技術分野】
【０００１】
本発明は、画像形成装置に関するものである。
【背景技術】
【０００２】
画像形成装置は、用紙カセットに載置された記録用紙束の最上部から一枚の紙をピックアップするため給紙装置を備えている。この給紙装置は、ピックアップローラを備えている。そして、画像形成装置は、給紙装置のピックアップローラによってピックアップされた記録用紙を搬送し、当該記録用紙に対して画像を形成している。
ピックアップローラは、記録用紙束の最上部に当接された状態にて回転駆動されることによって記録用紙をピックアップする構成とされているため、記録用紙をピックアップする際には記録用紙束に対して当接されているが、必要に応じて記録用紙束から離間される。このため、給紙装置は、ピックアップローラを上下に移動させる機構を備えている。
【０００３】
例えば、特許文献１には、ピックアップローラを押し上げるための押上げレバーを備える給紙装置が開示されている。
このような特許文献１に開示された給紙装置によれば、押上げレバーによってピックアップローラが設置される揺動アームを押し上げることによってピックアップローラを上方に移動させる。
【特許文献１】特開２００４−５１３２３号公報
【発明の開示】
【発明が解決しようとする課題】
【０００４】
しかしながら、特許文献１に開示された給紙装置においては、上方に移動されたピックアップローラの下降は、押上げレバーが側方に移動して揺動アームから外されることによるピックアップローラの落下によって実現されている。そして、落下されたピックアップローラは、記録用紙束の最上面に接触することによって停止し、これによってピックアップローラと記録用紙束とが当接した状態となる。このため、落下するピックアップローラが記録用紙束に接触する際に、記録用紙束に大きな衝撃力が作用し、これによって記録用紙に位置ズレが生じる場合がある。例えば、落下するピックアップローラの衝撃力によって、記録用紙束の記録用紙に、高さ方向にねじれるような位置ズレが生じた場合には、記録用紙を良好にピックアップすることができなくなる虞がある。
特に特許文献１に開示された給紙装置は、揺動アームをピックアップローラが下降する方向に付勢する付勢バネを備えているため、より衝撃力が強くなり、記録用紙の位置ズレが生じやすい。
【０００５】
本発明は、上述する問題点に鑑みてなされたもので、ピックアップローラを下降させて記録用紙束に当接させた場合における、記録用紙束へ作用する衝撃力を緩和ことによって、記録用紙束における記録用紙の位置ズレの発生を抑止することを目的とする。
【課題を解決するための手段】
【０００６】
上記目的を達成するために、本発明の給紙装置は、記録用紙束の最上部から一枚の記録用紙をピックアップする給紙装置であって、回転駆動されることにより上記記録用紙をピックアップするピックアップローラと、該ピックアップローラを回転可能に支持するハウジングと、該ハウジングを下方から支持する傾斜面を備え、該傾斜面を上記ハウジングに対して向かう方向あるいは離れる方向に水平移動させることによって上記ハウジングを上記傾斜面に対して摺動させながら上下動させる上下移動手段とを備えることを特徴とする。
【０００７】
また、本発明の給紙装置においては、上記上下移動手段は、上記傾斜面を有する支持部材と、該支持部材を水平移動させるソレノイドとを備えるという構成を採用する。
【０００８】
また、本発明の給紙装置においては、上記ハウジングは、上記傾斜面と面接触する摺動面を備えるという構成を採用する。
【０００９】
また、本発明の給紙装置においては、上記支持部材は、上記ハウジングを下方から支持する水平面を有するという構成を採用する。
【００１０】
また、本発明の給紙装置においては、上記上下移動手段を複数備えるという構成を採用する。
【００１１】
また、本発明の画像形成装置は、記録用紙束の最上部から一枚の記録用紙をピックアップする給紙装置を備え、該給紙装置によってピックアップした上記記録用紙に対して画像を形成する画像形成装置であって、上記給紙装置として、本発明の給紙装置を備えることを特徴とする。
【発明の効果】
【００１２】
本発明によれば、上下移動手段によって、傾斜面がハウジングに対して向かう方向あるいは離れる方向に水平移動させることで、ハウジングが傾斜面に対して摺動しながら上下に移動される。このように、ハウジングが傾斜面に対して摺動しながら上下に移動されることによって、自重もしくはそれ以上の付勢力でハウジングを下降させる場合と比較して、ハウジングを徐々に下降させることが可能となり、ハウジングに支持されるピックアップローラと記録用紙束とが接触した場合における記録用紙束への衝撃力を緩和させることが可能となる。
したがって、本発明によれば、ピックアップローラを下降させて記録用紙束に当接させた場合における、記録用紙束へ作用する衝撃力を緩和ことによって、記録用紙束における記録用紙の位置ズレの発生を抑止することが可能となる。
【発明を実施するための最良の形態】
【００１３】
以下、図面を参照して、本発明に係る給紙装置及び画像形成装置の一実施形態について説明する。なお、以下の図面において、各部材を認識可能な大きさとするために、各部材の縮尺を適宜変更している。また、以下の説明においては、本発明の画像形成装置の一実施形態として複写機を挙げて説明する。
【００１４】
（第１実施形態）
図１は、本実施形態の画像形成装置の機能構成を示すブロック図である。また、図２は、本実施形態の画像形成装置の概略構成を示す断面図である。
図１に示すように、複写機Ｓ１は、表示操作部１、画像読取部２、画像記憶部３、画像処理部４、印刷部５及び制御部６を備えている。
【００１５】
表示操作部１は、ユーザと複写機Ｓ１とを関係付けるマンマシンインタフェースとして装置の前面に設置される（図２においては不図示）ものであり、タッチパネル１ａ及び操作キー１ｂを備えている。
タッチパネル１ａは、表示面に抵抗膜方式等の透明な面状押圧センサを設けた表示パネルであり、ユーザに提供する情報の表示を行うと共に、ユーザの操作に基づく操作信号を出力する。
操作キー１ｂは、例えば電源ボタンやコピー開始ボタン等の、タッチパネル１ａに表示される操作ボタン以外の操作キー（ハードウェアキー）であり、ユーザの操作に基づく操作信号を出力する。
【００１６】
画像読取部２は、制御部６から入力される制御指令に基づいて、ＡＤＦ（Auto Document Feeder）によって自動給紙される原稿あるいはプラテンガラス上に載置された原稿の画像をラインセンサで読み取って原稿画像データに変換するものであり、この原稿画像データを出力するものである。
この画像読取部２は、図２に示すように、複写機Ｓ１の上部を構成するものである。そして、上記表示操作部１は、例えば、画像読取部２の近傍に配置される。
【００１７】
図１に戻り、画像記憶部３は、半導体メモリあるいはハードディスク装置等であり、制御部６から入力される制御指令に基づいて、画像読取部２から入力される上記原稿画像データを記憶すると共に当該原稿画像データを読み出して出力する。
【００１８】
画像処理部４は、制御部６から入力される制御指令に基づいて、画像記憶部３から入力される原稿画像データを印刷形式の画像データに変換して出力するものであり、必要に応じて原稿画像データに各種画像処理を施して印刷形式の画像データに変換する。
【００１９】
印刷部５は、制御部６から入力される制御指令に基づいて用紙カセット７あるいは給紙トレー８（図２参照）から給紙される記録用紙に印刷（画像形成）を行うものであり、図２に示すように、複写機Ｓ１の略中央部を構成している。
この印刷部５は、図２に示すように、本実施形態の給紙装置１００、感光体ドラム（感光体）１０、帯電器２０、レーザスキャニングユニット３０、現像装置４０、クリーニングユニット５０及び定着器７０を備えている。
【００２０】
給紙装置１００は、用紙カセット７に収容された記録用紙束Ｘの最上部から一枚の記録用紙をピックアップするものである。
図３及び図４は、給紙装置１００の構成を示す斜視図である。なお、図３は後述するピックアップローラが上方に移動されている場合を示す図である。また、図４はピックアップローラが下方に移動されている場合を示す図である。
【００２１】
図３及び図４に示すように、給紙装置１００は、ハウジング１０１、ピックアップローラ１０２、フィードローラ１０３、支持部材１０４及びソレノイド１０５を備えている。
【００２２】
ハウジング１０１は、フィードローラ１０３及びピックアップローラ１０２を回転可能に支持する部材であり、挿通される軸Ｌ１周りに揺動可能とされている。このハウジング１０１は、フィードローラ１０３を狭持して軸支する本体部１０６と、ピックアップローラ１０２を狭持して軸支するアーム部１０７とを有しており、本体部１０６に挿通される軸Ｌ１周りに揺動することによってアーム部１０７が上下動される構成となっている。
【００２３】
ピックアップローラ１０２は、記録用紙束Ｘの最上部に当接された状態で回転駆動されることによって記録用紙をピックアップするものであり、軸Ｌ１と平行な軸Ｌ２をハウジング１０１のアーム部１０７に軸支されることによってハウジング１０１に対して回転可能に支持される。
このピックアップローラ１０２は、ギア１０８を介して軸Ｌ１と接続されており、不図示のモータを介して伝達される回転動力が軸Ｌ１及びギア１０８を介して伝達されることによって回転駆動される。
【００２４】
フィードローラ１０３は、ピックアップローラ１０２によってピックアップされた記録用紙を搬送する感光体ドラム１０の方向へ搬送するものである。なお、フィードローラ１０３は、ピックアップローラ１０２によってピックアップされた記録用紙が重なっている場合に、重なっている記録用紙を分離して一枚のみを感光体ドラム１０の方向へ搬送する。
このフィードローラ１０３は、軸Ｌ１と接続されており、不図示のモータの回転動力が軸Ｌ１を介して伝達されることによって回転駆動される。
【００２５】
支持部材１０４及びソレノイド１０５は、ハウジング１０１のアーム部１０７を上下動することによってピックアップローラ１０２を上下動させるものであり、本発明の上下移動手段を構成するものである。
【００２６】
支持部材１０４は、ハウジング１０１の一方のアーム部１０７ａ側に配置されており、ハウジング１０１に向かって下る傾斜面１０９と、傾斜面１０９の下端部からさらに延在する下側水平面１１０と、傾斜面１０９の上端部からさらに延在する上側水平面１１１とを有している。なお、支持部材１０４は、記録用紙の搬送経路を避けて配置されており、具体的には、記録用紙束Ｘの厚みが最大である場合でかつピックアップローラ１０２が記録用紙束Ｘの最上部に当接している場合において、下端１１２が、ピックアップローラ１０２の下端とフィードローラ１０３の下端とを結ぶ直線よりも上方に位置するように配置されている（図４参照）。
この支持部材１０４は、例えば、ポリアセタールによって形成することができる。
【００２７】
ソレノイド１０５は、制御部６の制御指令の下、支持部材１０４をハウジング１０１に向かう方向あるいはハウジング１０１から離れる方向に水平移動させるものであり、支持部材１０４の側部に接続されている。
【００２８】
このような構成を有する給紙装置１００においては、ソレノイド１０５によって支持部材１０４をハウジング１０１に向かう方向に移動させることによって、支持部材１０４の傾斜面１０９がハウジング１０１に向かい水平方向に移動され、これによってハウジング１０１の一方のアーム部１０７ａが傾斜面１０９に対して摺動しながら上方に移動される。このため、ハウジング１０１のアーム部１０７ａに軸支されたピックアップローラ１０２が上方に移動される。
そして、最終的には、図３に示すように、支持部材１０４の上側水平面１１１によってアーム部１０７ａが下方から支持される。
【００２９】
また、ソレノイド１０５によって支持部材１０４をハウジング１０１から離れる方向に移動させることによって、支持部材１０４の傾斜面１０９がハウジング１０１から離れる水平方向に移動され、これによってハウジング１０１の一方のアーム部１０７ａが傾斜面１０９に対して摺動しながらピックアップローラ１０２等の重量によって下方に移動される。このため、ハウジング１０１のアーム部１０７ａに軸支されたピックアップローラ１０２が下方に移動される。
そして、ピックアップローラ１０２が記録用紙束Ｘの最上部に当接することによってピックアップローラ１０２の下降は停止する。すなわち、ピックアップローラ１０２が記録用紙束Ｘによって支持された状態となる。
【００３０】
なお、ピックアップローラ１０２は、上下動されている最中は、モータからの回転動力が伝達されないフリー状態とされている。
そして、ピックアップローラ１０２が記録用紙束Ｘの最上部に当接した状態にてピックアップローラ１０２に回転動力が伝達され、これによってピックアップローラ１０２が回転駆動されることによって、記録用紙束Ｘの最上部の記録用紙がピックアップされる。その後、ピックアップされた記録用紙は、フィードローラ１０３によって感光体ドラム１０に向けて搬送される。
【００３１】
このようにして順次、記録用紙束Ｘから記録用紙がピックアップされて搬送されることによって、記録用紙束Ｘの高さは徐々に低くなっていくが、ハウジング１０１は、アーム部１０７ａが支持部材１０４の下側水平面１１０と当接するまでは下方に移動可能であるため、ピックアップローラ１０２は、常に記録用紙束Ｘの最上部と当接した状態とされる。なお、支持部材１０４の下側水平面１１０の高さは、用紙カセット７の記録用紙束Ｘがなくなった場合にアーム部１０７ａが当接される高さに設定されている。
【００３２】
このような本実施形態の給紙装置１００によれば、支持部材１０４及びソレノイド１０５によって、傾斜面１０９がハウジング１０１に対して向かう方向あるいは離れる方向に水平移動させることで、ハウジング１０１が傾斜面１０９に対して摺動しながら上下に移動される。このように、ハウジング１０１が傾斜面１０９に対して摺動しながら上下に移動されることによって、自重もしくはそれ以上の付勢力でハウジングを下降させる場合と比較して、ハウジング１０１を徐々に下降させることが可能となり、ハウジング１０１に支持されるピックアップローラ１０２と記録用紙束Ｘとが接触した場合における記録用紙束Ｘへの衝撃力を緩和させることが可能となる。
したがって、本実施形態の給紙装置１００によれば、ピックアップローラ１０２を下降させて記録用紙束Ｘに当接させた場合における、記録用紙束Ｘへ作用する衝撃力を緩和ことによって、記録用紙束Ｘにおける記録用紙の位置ズレの発生を抑止することが可能となる。
【００３３】
また、本実施形態の給紙装置１００によれば、支持部材１０４がハウジング１０１を下方から支持する水平面（下側水平面１１０及び上側水平面１１１）を備えている。そして、ハウジング１０１が最も上昇された場合（ピックアップローラ１０２が最も上昇された場合）にはハウジング１０１が上側水平面１１１によって支持され、ハウジング１０１が最も下降された場合（ピックアップローラ１０２が最も下降された場合）にはハウジング１０１が下側水平面１１０によって支持される。
このため、ハウジング１０１が最も上昇された場合（ピックアップローラ１０２が最も上昇された場合）、及び、ハウジング１０１が最も下降された場合（ピックアップローラ１０２が最も下降された場合）には、ハウジング１０１に対して水平方向に力を作用させることなくハウジング１０１を支持することができる。
【００３４】
なお、ハウジング１０１のアーム部１０７ａは、支持部材１０４の傾斜面１０９と面接触される摺動面を備えていることが好ましい。
このような構成を採用することにより、ハウジング１０１と支持部材１０４との当接箇所が面接触となり、支持部材１０４がハウジング１０１に対して安定して摺動することが可能となると共にハウジング１０１あるいは支持部材１０４の摺動による磨耗を低減させることが可能となる。
また、支持部材１０４のハウジング１０１に対するより安定した摺動、及び、ハウジング１０１あるいは支持部材１０４の摺動による磨耗をより低減させるために、支持部材１０４及びハウジング１０１の少なくとも一方に対して表面処理を行っても良い。
【００３５】
図２に戻り、感光体ドラム１０は、円柱に形状設定されると共に図２の紙面奥行き方向に延在して配置されており、その周面に静電潜像及び該静電潜像に基づくトナー像が形成されるものである。
帯電器２０は、感光体ドラム１０に対して対向配置されており、感光体ドラム１０の周面を帯電状態とするものである。
レーザスキャニングユニット３０は、感光体ドラム１０の上方に配置されており、印刷形式の画像データに基づいて射出されるレーザ光を感光体ドラム１０の周面において走査するものである。
そして、帯電器２０によって感光体ドラム１０の周面が帯電され、レーザスキャニングユニット３０によって帯電された感光体ドラム１０の周面にレーザ光が走査されることで、感光体ドラム１０の周面に、印刷形式の画像データに基づく静電潜像が形成される。
【００３６】
現像装置４０は、感光体ドラム１０の周面に対してトナーを供給することによって感光体ドラム１０の周面上に静電潜像に基づく画像を現像するものであり、感光体ドラム１０に対向配置される。
現像装置４０は、感光体ドラム１０にトナーを供給する現像器４１と、該現像器４１に補給するトナーを収容するコンテナ４２とが接続された構成を有する。
【００３７】
クリーニングユニット５０は、感光体ドラム１０から記録用紙にトナー像が転写された後に、感光体ドラム１０に残存するトナーを除去するものであり、感光体ドラム１０に対向配置される。
定着器７０は、熱及び圧力を加えることによって、トナーを記録用紙に対して定着させるものであり、記録用紙の搬送経路であって、現像装置４０の後流側に配置されている。
【００３８】
そして、このように構成された印刷部５においては、帯電器２０によって感光体ドラム１０の表面が帯電され、この帯電された感光体ドラム１０に対してレーザスキャニングユニット３０にてレーザ光を照射することによって感光体ドラム１０に静電潜像を形成する。その後、当該静電潜像を現像装置４０によって現像し、現像されたトナー像を記録用紙に転写した後、定着器７０にてトナーを記録用紙に定着させることによって印刷が行われる。
【００３９】
図１に戻り、制御部６は、本実施形態の複写機Ｓ１の全体の制御を行うものである。
【００４０】
以上のような構成を有する本実施形態の複写機Ｓ１においては、制御部６の制御の下、ユーザの表示操作部１の操作に基づいて、画像読取部２にセットされた原稿の画像データが読み込まれ、読み込まれた画像データが画像記憶部３に記憶される。画像記憶部３に記憶された画像データは、画像処理部４において印刷形式の画像データに変換され印刷部５に入力する。そして、印刷部５では、画像処理部４から入力された印刷形式の画像データに基づいて印刷用紙への画像形成が行われる。その後、画像が形成された印刷用紙が印刷物として複写機Ｓ１の外部に排出される。
【００４１】
このような本実施形態の複写機Ｓ１は、記録用紙束Ｘにおける記録用紙の位置ズレの発生を抑止することが可能な給紙装置１００を備えているため、記録用紙束Ｘにおける記録用紙の位置ズレに起因する動作不良の生じない信頼性に優れたものとなる。
【００４２】
（第２実施形態）
次に、本発明の第２実施形態について説明する。なお、本第２実施形態の説明において、上記第１実施形態と同様の部分については、その説明を省略あるいは簡略化する。
【００４３】
図５は、本実施形態の給紙装置２００の概略構成を示す模式図である。この図に示すように、ハウジング１０１の一方のアーム部１０７ａに対応する支持部材１０４の他に、他穂のアーム部１０７ｂに対応する支持部材１１３を備えている。
なお、支持部材１１３は、ハウジング１０１を避けて延在される軸１１４を介して、支持部材１０４と同様に、ソレノイド１０５と接続されている。
【００４４】
このような本実施形態の給紙装置２００によれば、ハウジング１０１の一方のアーム部１０７ａが支持部材１０４によって支持され、ハウジング１０１の他方のアーム部１０７ｂが支持部材１１３によって支持される。このため、ハウジング１０１の両側を同様に支持することができ、ハウジング１０１を安定して支持することができるため、ピックアップローラ１０２の姿勢を良好に保つことが平行とすることができる。
また、支持部材１０４と支持部材１１３とは、単一のソレノイド１０５と接続されているため、ソレノイド１０５の駆動によって同様に移動する。このため、ピックアップローラ１０２の良好な姿勢を維持しながらピックアップローラ１０２を上下動することができる。
したがって、本実施形態の給紙装置２００によれば、ピックアップローラ１０２を記録用紙束Ｘに対して良好な姿勢で当接させることが可能となる。
【００４５】
以上、本発明の実施形態について図面を参照して詳説したが、具体的な構成は、上記実施形態に限定されるものではなく、本発明の要旨を逸脱しない範囲において設計変更等が可能である。
【００４６】
例えば、上記実施形態においては、本発明の画像形成装置の一例として複写機を挙げて説明した。
しかしながら、画像形成装置がファクシミリや複合機等であっても良い。  
【００４７】
また、本発明の画像形成装置は、色ごとの感光体ドラム１０を備えるいわゆるタンデム方式の複写機や、円筒形に配列された４つ現像装置を用いて単一の感光体ドラム１０に対して現像を行ういわゆる４サイクル方式の複写機に適用することもできる。
【００４８】
また、上記実施形態の複写機においては、ソレノイド１０５によって支持部材１０４，１１３を移動させる構成を採用した。
しかしながら、本発明はこれに限定されるものではなく、モータやシリンダ等の他の駆動機構を用いて支持部材１０４，１１３を移動させても良い。
【００４９】
また、上記第２実施形態においては、２つの支持部材１０４，１１３が単一のソレノイド１０５と接続される構成を採用した。
しかしながら、本発明はこれに限定されるものではなく、各支持部材１０４，１１３に対してソレノイドを設置する構成を採用しても良い。
【００５０】
なお、上記実施形態の給紙装置においては、ピックアップローラ１０２の記録用紙束Ｘへの押圧力は、ピックアップローラ１０２の重量やハウジング１０１の重量の一部によって規定される。
ただし、より大きな押圧力を必要とする場合には、例えば、ハウジング１０１に重りを別途設置することもできる。
【図面の簡単な説明】
【００５１】
【図１】本発明の第１実施形態における複写機の機能構成を示すブロック図である。
【図２】本発明の第１実施形態における複写機の概略構成を示す断面図である。
【図３】本発明の第１実施形態における給紙装置の斜視図である。
【図４】本発明の第１実施形態における給紙装置の斜視図である。
【図５】本発明の第２実施形態における給紙装置の模式図である。
【符号の説明】
【００５２】
Ｓ１……複写機（画像形成装置）、Ｘ……記録用紙束、１００，２００……給紙装置、１０１……ハウジング、１０２……ピックアップローラ、１０４，１１３……支持部材、１０５……ソレノイド、１０９……傾斜面、
【図１】
2009083959.tif 000003
【図２】
2009083959.tif 000004
【図３】
2009083959.tif 000005
【図４】
2009083959.tif 000006
【図５】
2009083959.tif 000007
【手続補正書】
【提出日】平成19年10月2日(2007.10.2)
【手続補正１】
【補正対象書類名】図面
【補正対象項目名】図１
【補正方法】変更
【補正の内容】
【図１】
2009083959.tif 000008